(57)【特許請求の範囲】
【請求項１】
通信ネットワークにより接続されたメディアコンバータ間で、ローカル情報に対応したパルス幅を有する信号を伝達するメディアコンバータの情報伝達方法であって、
送信側のメディアコンバータにおいて、前記ローカル情報に対応したパルス幅を有する信号を受信側のメディアコンバータで受信して得られる信号のパルス幅が基本クロックの２のｎ乗（ｎ；自然数）倍以上かつ前記基本クロックの２の（ｎ＋１）乗倍未満になるように、前記ローカル情報に対応したパルス幅を設定し、
前記受信側のメディアコンバータにおいて、前記送信側のメディアコンバータから受信して得られた信号のパルス幅を前記基本クロックでカウントし、そのカウント値の２進表記における上位の一部のビットの値を用いて前記ローカル情報を識別することを特徴とするメディアコンバータの情報伝達方法。
【請求項２】
前記パルス幅は、ハイレベルまたはロウレベルのパルスの幅であることを特徴とする請求項１に記載されたメディアコンバータの情報伝達方法。
【請求項３】
前記パルス幅は、ＶＡＬＩＤ信号もしくはＩＮＶＡＬＩＤ信号のパルスの幅であることを特徴とする請求項１に記載されたメディアコンバータの情報伝達方法。
【請求項４】
前記送信側のメディアコンバータは、前記ローカル情報に対応したパルス幅を有する信号として複数の信号を生成し、前記複数の信号の各パルス幅にローカル情報を割付けて、複数のローカル情報を送信し、
前記複数の信号の各パルス幅は、相互に異なるｎについて、前記基本クロックの２のｎ乗倍以上かつ前記基本クロックの２の（ｎ＋１）乗倍未満であることを特徴とする請求項１から３の何れか１項に記載されたメディアコンバータの情報伝達方法。
【請求項５】
前記受信側のメディアコンバータは、前記送信側のメディアコンバータから受信して得られた信号のパルス幅を前記基本クロックでカウントするカウンタを有し、前記カウンタのカウント値の最下位ビットから（ｎ＋１）番目のビットと、その上位のビットの値を用いて、前記ローカル情報を識別することを特徴とする請求項１から４の何れか１項に記載されたメディアコンバータの情報伝達方法。
【請求項６】
前記受信側のメディアコンバータは、前記（ｎ＋１）番目のビットと、その上位のビットの値に加えて、ｎ番目のビットの値を用いて前記ローカル情報を識別することを特徴とする請求項５に記載されたメディアコンバータの情報伝達方法。
【請求項７】
通信ネットワークにより接続された通信装置間で、ローカル情報に対応したパルス幅を有する信号を伝達する通信装置の情報伝達方法であって、
送信側の通信装置において、前記ローカル情報に対応したパルス幅を有する信号を受信側の通信装置で受信して得られる信号のパルス幅が基本クロックの２のｎ乗（ｎ；自然数）倍以上かつ前記基本クロックの２の（ｎ＋１）乗倍未満になるように、前記ローカル情報に対応したパルス幅を設定し、
前記受信側の通信装置において、前記送信側の通信装置から受信して得られた信号のパルス幅を前記基本クロックでカウントし、そのカウント値の２進表記における上位の一部のビットの値を用いて前記ローカル情報を識別することを特徴とする通信装置の情報伝達方法。
【請求項８】
前記送信側の通信装置は、前記ローカル情報に対応したパルス幅を有する信号として複数の信号を生成し、前記複数の信号の各パルス幅にローカル情報を割付けて、複数のローカル情報を送信し、
前記複数の信号の各パルス幅は、相互に異なるｎについて、前記基本クロックの２のｎ乗倍以上かつ前記基本クロックの２の（ｎ＋１）乗倍未満であることを特徴とする請求項７に記載された通信装置の情報伝達方法。
【請求項９】
請求項１から６の何れか１項に記載された前記送信側のメディアコンバータと前記受信側のメディアコンバータとを備えた通信システム。
【請求項１０】
請求項７または８の何れか１項に記載された前記送信側の通信装置と前記受信側の通信装置とを備えた通信システム。
【発明の詳細な説明】
【０００１】
【発明の属する技術分野】
本発明は、通信ネットワークにより接続されたメディアコンバータ間のローカル情報伝達方法に関し、特に、送信された信号が伝送路の影響を受けてデューティ比が変動した場合においても、受信信号から正しいローカル情報を検出することができるメディアコンバータの情報伝達方法に関する。
【０００２】
【従来の技術】
メディアコンバータは、ツイストペアケーブルを用いるＩＥＥＥ８０２．３規格である１０ＢＡＳＥ−Ｔや１００ＢＡＳＥ−ＴＸ方式の信号を１００ＢＡＳＥ−ＦＸ方式に対応した信号に変換する。また、メディアコンバータは、ローカル情報、すなわち、ステイタス情報や、コンフィギュレーション情報や、診断機能などの情報を物理層レベルの信号により送信する。そして、このローカル情報の伝送は、通常のデータ通信以外の方法により実施され、以下に示す２つの方法が用いられる。
【０００３】
先ず、第１の伝送方法として、通常のデータ伝送では使用しない周波数帯域の単一の周波数にローカル情報を割り当て、この周波数を識別することによりローカル情報の内容を識別する伝送方法がある。
また、第２の伝送方法は、送信側のデータの異常を伝える信号を用いて、ローカル情報の伝送を行う。具体的には、先ず、送信側のメディアコンバータが、４Ｂ５Ｂ符号化で既定されている２つの異なる周波数の信号であるＶＡＬＩＤ（有効）信号と、ＩＮＶＡＬＩＤ（無効）信号とを生成する。そして、送信側のメディアコンバータが、これらの信号を交互に送信し、受信側のメディアコンバータがこれらの信号の繰り返し周期に予め割付けられたローカル情報を識別する。
このようにして、上記第１の伝送方法と第２の伝送方法とは、送信側のメディアコンバータが異なるパルス幅の信号を送信し、受信側のメディアコンバータがパルス幅を監視することによりローカル情報の伝送を行っている。
【０００４】
ここで、第１の伝送方法を具体例を挙げて説明する。送信側のメディアコンバータが、５つの異なる周波数の信号、すなわち、５つのローカル情報Ｐ１〜Ｐ５を生成し、受信側のメディアコンバータへ送信するとする。また、ローカル情報Ｐ１のパルス幅は、基本クロックの８クロック分であると定義する。このローカル情報Ｐ１のパルス幅を２進数表記で示すと、Ｐ１＝００００１０００で表すことができる。また、基本クロックに対して、ローカル情報Ｐ２のパルス幅が１６クロック分、ローカル情報Ｐ３のパルス幅が３２クロック分、ローカル情報Ｐ４のパルス幅が６４クロック分、ローカル情報Ｐ５のパルス幅が１２８クロック分と定義する。そして、それぞれのローカル情報のパルス幅を２進数表記で示すと、Ｐ２＝０００１００００、Ｐ３＝００１０００００、Ｐ４＝０１００００００、Ｐ５＝１０００００００となる。従って、各ローカル情報に対応したパルス幅は、２進数表記で全８ビットにより表現することができる。
【０００５】
一方、受信側のメディアコンバータは、受信したローカル情報信号のパルス幅を周波数判定カウンタを用いて基本クロックによりカウントする。そして、ローカル情報Ｐ１〜Ｐ５の信号のパルス幅を２進数に変換し、上位５ビットのみを監視し、ローカル情報Ｐ１〜Ｐ５の信号を識別する。
つまり、受信側のメディアコンバータは、２進数表記されたパルス幅を最下位ビットから数えて（ｎ＋１）番目のビットが“１”であって、且つ、（ｎ＋１）番目より上位側の全てのビットが“０”という判定条件に基づいて判定し、この判定条件を満足するパルス幅のローカル情報を識別している。上記例の場合、ローカル情報Ｐ１からＰ５のｎはそれぞれ、３、４、５、６、７となる。
このようにして、ｎ番目より上位のビットのみモニタすることによって、異なる周波数で送信されるローカル情報を識別することができる。
【０００６】
しかし、上記パルス幅を有するローカル情報の信号が伝送路の影響を受けて、そのデューティ比が±１０％の範囲で変動するものとすると、以下に示すパルス幅を有するローカル情報Ｐ１〜Ｐ５が受信される可能性がある。
0004896312.tif 000002
【０００７】
図５は、送信するローカル情報Ｐ１（＝００００１０００）と、デューティ比が変動した場合に、受信されるＰ１の波形を示す図である。同図（ａ）は、ハイレベルとロウレベルがそれぞれ８クロック分のパルス幅であって、デューティが５０パーセントの波形例を示す。また同図（Ｂ）は、ハイレベルのパルス幅が７クロック分（Ｐ１＝０００００１１１）に減少し、ロウレベルのパルス幅が９クロック分（Ｐ１＝００００１００１）に増加してデューティが変動した場合の波形例を示す。
このような場合、受信側で上述の５つのローカル情報Ｐ１〜Ｐ５を正しく認識するためにはパルス幅を２進数表記した８ビットの全てをモニタしなければならない。
【０００８】
【発明が解決しようとする課題】
上述のように、送信側のメディアコンバータで送信したデータが、伝送路上で減衰するなどの理由によりデューティ比が変動して、受信側のメディアコンバータに受信されることがある。そして、信号のデューティ比が変動した場合、受信側メディアコンバータの周波数判定カウンタによるカウント数が減少し、２進数表記の桁が変わる可能性があるという問題が生じる。
【０００９】
例えば、送信側のメディアコンバータがＰ２＝０００１００００（１６クロック分）を送信し、受信側のメディアコンバータがデューティ比の変動したこのデータを受信したとする。そして、受信側のメディアコンバータが、１つカウント数を減少してカウントすると“００００１１１１”となってしまう。従って、受信側のメディアコンバータで上位５ビットのみを監視する方法を用いた場合、Ｐ１の信号であると識別して、誤ったローカル情報を生成してしまうという問題が生じる。
【００１０】
また、第２の伝送方式により、受信側のメディアコンバータが、送信されたＶＡＬＩＤ信号としてＨＡＬＴ信号を検出し、ＩＮＶＡＬＩＤ符号としてＩＤＬＥ信号を検出する場合、ＨＡＬＴ信号とＩＤＬＥ信号とに対応したパルス幅を基本クロックによりカウントする。このとき、信号のデューティ比が変動して、カウント数が減少すると、ＨＡＬＴ信号とＩＤＬＥ信号とを検出することができず、ローカル情報を識別できないという問題が生じる。
【００１１】
本発明は、上記の事情を考慮してなされたもので、その目的は、通常のデータ通信以外の方式でローカル情報の伝送を行うメディアコンバータにおいて、送信された信号のデューティ比が伝送路上で変動しても、正しくローカル情報を識別することができる情報伝達方法および通信システムを提供することにある。また、他の目的は、ローカル情報の受信周波数を判定するビット数を減らし小規模な論理回路で周波数判定回路を構成することができる情報伝達方法および通信システムを提供することにある。
【００１２】
【課題を解決するための手段】
上記の課題を解決するために、本発明は、通信ネットワークにより接続されたメディアコンバータ間で、ローカル情報に対応したパルス幅を有する信号を伝達するメディアコンバータの情報伝達方法であって、送信側のメディアコンバータにおいて、前記ローカル情報に対応したパルス幅を有する信号を受信側のメディアコンバータで受信して得られる信号のパルス幅が基本クロックの２のｎ乗（ｎ；自然数）倍以上かつ前記基本クロックの２の（ｎ＋１）乗倍未満になるように、前記ローカル情報に対応したパルス幅を設定し、前記受信側のメディアコンバータにおいて、前記送信側のメディアコンバータから受信して得られた信号のパルス幅を前記基本クロックでカウントし、そのカウント値の２進表記における上位の一部のビットの値を用いて前記ローカル情報を識別することを特徴とするメディアコンバータの情報伝達方法の構成を有する。
上記メディアコンバータの情報伝達方法において、例えば、前記パルス幅は、ハイレベルまたはロウレベルのパルスの幅である。
上記メディアコンバータの情報伝達方法において、例えば、前記パルス幅は、ＶＡＬＩＤ信号もしくはＩＮＶＡＬＩＤ信号のパルスの幅である。
上記メディアコンバータの情報伝達方法において、例えば、前記送信側のメディアコンバータは、前記ローカル情報に対応したパルス幅を有する信号として複数の信号を生成し、前記複数の信号の各パルス幅にローカル情報を割付けて、複数のローカル情報を送信し、前記複数の信号の各パルス幅は、相互に異なるｎについて、前記基本クロックの２のｎ乗倍以上かつ前記基本クロックの２の（ｎ＋１）乗倍未満である。
上記メディアコンバータの情報伝達方法において、例えば、前記受信側のメディアコンバータは、前記送信側のメディアコンバータから受信して得られた信号のパルス幅を前記基本クロックでカウントするカウンタを有し、前記カウンタのカウント値の最下位ビットから（ｎ＋１）番目のビットと、その上位のビットの値を用いて、前記ローカル情報を識別する。
上記メディアコンバータの情報伝達方法において、例えば、前記受信側のメディアコンバータは、前記（ｎ＋１）番目のビットと、その上位のビットの値に加えて、ｎ番目のビットの値を用いて前記ローカル情報を識別する。
また、本発明は、通信ネットワークにより接続された通信装置間で、ローカル情報に対応したパルス幅を有する信号を伝達する通信装置の情報伝達方法であって、送信側の通信装置において、前記ローカル情報に対応したパルス幅を有する信号を受信側の通信装置で受信して得られる信号のパルス幅が基本クロックの２のｎ乗（ｎ；自然数）倍以上かつ前記基本クロックの２の（ｎ＋１）乗倍未満になるように、前記ローカル情報に対応したパルス幅を設定し、前記受信側の通信装置において、前記送信側の通信装置から受信して得られた信号のパルス幅を前記基本クロックでカウントし、そのカウント値の２進表記における上位の一部のビットの値を用いて前記ローカル情報を識別することを特徴とする通信装置の情報伝達方法の構成を有する。
上記通信装置の情報伝達方法において、前記送信側の通信装置は、前記ローカル情報に対応したパルス幅を有する信号として複数の信号を生成し、前記複数の信号の各パルス幅にローカル情報を割付けて、複数のローカル情報を送信し、前記複数の信号の各パルス幅は、相互に異なるｎについて、前記基本クロックの２のｎ乗倍以上かつ前記基本クロックの２の（ｎ＋１）乗倍未満である。
また、本発明は、上記メディアコンバータの情報伝達方法における前記送信側のメディアコンバータと前記受信側のメディアコンバータとを備えた通信システムの構成を有する。
また、本発明は、上記通信装置の情報伝達方法における前記送信側の通信装置と前記受信側の通信装置とを備えた通信システムの構成を有する。
なお、本発明の関連発明は、通信ネットワークにより接続されたメディアコンバータ間で単一周波数の信号を用いてローカル情報を伝達するメディアコンバータの情報伝達方法であって、ローカル情報を伝送する前記信号のパルス幅が前記メディアコンバータ間を接続する伝送路の影響を受けて変動した場合に推定される前記信号の受信周波数のうち、最も高い周波数を有するときの前記信号のパルス幅が基本クロックの２のｎ乗（ｎ；自然数、ｎ≧３）倍以上かつ前記基本クロックの２の（ｎ＋１）乗倍未満になるように、前記信号の送信周波数を設定することを特徴とするメディアコンバータの情報伝達方法である。
【００１３】
また、本発明の関連発明は、通信ネットワークにより接続されたメディアコンバータ間でＶＡＬＩＤ信号とＩＮＶＡＬＩＤ信号の繰り返し信号によりローカル情報の送信および受信を行うメディアコンバータの情報伝達方法であって、ローカル情報を伝送する前記繰り返し信号のパルス幅が前記メディアコンバータ間を接続する伝送路の影響を受けて変動した場合に推定される前記繰り返し信号の受信周波数のうち、最も高い周波数を有するときの前記繰り返し信号のパルス幅が基本クロックの２のｎ（ｎ；自然数、ｎ≧３）乗倍以上かつ前記基本クロックの２の（ｎ＋１）乗倍未満になるように、前記繰り返し信号の送信周波数を設定することを特徴とするメディアコンバータの情報伝達方法である。
【００１４】
また、本発明の関連発明は、通信ネットワークにより接続されたメディアコンバータ間でＶＡＬＩＤ信号とＩＮＶＡＬＩＤ信号の繰り返し信号によりローカル情報を伝達するメディアコンバータの情報伝達方法であって、ローカル情報を伝送する前記繰り返し信号のデューティ比が前記メディアコンバータ間を接続する伝送路の影響を受けて変動した場合に推定される前記繰り返し信号の受信周波数のうち、最も高い周波数を有するときの前記繰り返し信号のパルス幅が基本クロックの２のｎ（ｎ；自然数、ｎ≧３）乗倍以上かつ前記基本クロックの２の（ｎ＋１）乗倍未満になるように、前記繰り返し信号の送信周波数を設定することを特徴とするメディアコンバータの情報伝達方法である。
【００１５】
また、本発明の関連発明は、上記のメディアコンバータの情報伝達方法において、前記メディアコンバータは、ローカル情報を送信するために送信エラー信号をアサートし、送信イネーブル信号を所定の周期でトグルさせることにより、前記ＶＡＬＩＤ信号とＩＮＶＡＬＩＤ信号を交互に生成することを特徴とする。
【００１６】
また、本発明の関連発明は、上記のメディアコンバータの情報伝達方法において、前記メディアコンバータは、基本クロックの２のｎ乗倍、またはそれ以上のパルス幅を有する異なる周波数の信号を生成して、各周波数にローカル情報を割付けて、複数のローカル情報を送信することを特徴とする。
【００１７】
また、本発明の関連発明は、上記のメディアコンバータの情報伝達方法において、前記メディアコンバータは、ローカル情報の受信周波数を判定する周波数判定カウンタを有し、該周波数判定カウンタのカウント値の最下位ビットからｎ番目のビットおよびそれより上位のビットの値によりローカル情報の送信周波数を識別することを特徴とする。
【００１８】
また、本発明の関連発明は、上記のメディアコンバータの情報伝達方法において、前記周波数判定カウンタは、カウント値の最下位ビットから（ｎ＋１）番目のビットが“１”、（ｎ＋１）番目より上位のビットが全て“０”、且つ、ｎ番目のビットが“０”である判定条件に基づき周波数を判定することを特徴とする。
【００１９】
【発明の実施の形態】
（第１の実施の形態）
以下、図面を参照して、この発明の第１の実施の形態について説明する。
図１は、同実施形態によるメディアコンバータの構成を示す図である。同図において、１０および３０は、通信ネットワーク１１０により接続されて対向するメディアコンバータである。１１は、１００ＢＡＳＥ−ＴＸ規格に準拠した送信部（Ｔｘ）と受信部（Ｒｘ）とから成り、物理層レベルのプロトコルで信号を処理する送受信処理部（ＰＨＹ）である。この送受信処理部１１は、“０”および“１”が適度な発生頻度になるように入力データに対して４Ｂ／５Ｂ符号変換を行い、ＮＲＺＩ（Non Return to Zero Invert on ones）方式により信号を生成する。
【００２０】
また、送受信処理部１１の送信部（Ｔｘ）は、符号化された信号にスクランブル操作を行った後、ＭＬＴ−３（Multi-Level Transmission-3）に準拠した３値信号に変換し、コネクタ２１を介して１００ＢＡＳＥ−ＴＸのローカルエリアネットワーク（以下、ＬＡＮと称する）１００に出力する。また、その受信部（Ｒｘ）は、ＬＡＮ・１００から受信した信号をデスクランブルし、復号化してデータを生成する。
【００２１】
１５は、１００ＢＡＳＥ−ＴＸ規格に準拠した送信部（Ｔｘ）と受信部（Ｒｘ）から成る送受信処理部であり、物理層レベル（ＰＨＹ）のプロトコルで信号処理するものである。送受信処理部１５の送信部（Ｔｘ）は、入力データを４Ｂ／５Ｂ符号変換し、ＮＲＺＩ方式により信号を生成して出力する。また、その受信部（Ｒｘ）は、受信した信号を復号化し、符号変換してデータを生成する。１２は、送受信処理部１１と送受信処理部１５を接続し、データのインタフェース、および送信エラー信号ＴＸ＿ＥＲ（Transmit Error）や受信エラー信号ＲＸ＿ＥＲ（Receive Error）などの信号の送受信を行うメディア独立インタフェース部（ＭＩＩ）である。
【００２２】
また、メディア独立インタフェース部１２は、データ信号の通信周波数帯域外の複数の周波数をローカル情報伝送のために送出する機能、および通信周波数帯域外の周波数を検出する機能を有する。なお、４Ｂ／５Ｂ符号変換方式を使用する１００ＢＡＳＥ−ＴＸ規格および１００ＢＡＳＥ−ＦＸ規格に準拠した通信では、データ信号の最高周波数は６２．５ＭＨｚであり、最低周波数は１２．５ＭＨｚである。従って、ローカル情報伝送のために、この周波数帯域外で、データ信号の通信周波数にできるだけ干渉しない周波数が選択される。
【００２３】
１９は、メディア独立インタフェース部１２に接続された制御部である。この制御部１９は、ローカル情報、すなわち、ステイタス情報や、コンフィギュレーション情報、診断機能などの情報をメディア独立インタフェース部１２に通知する。１６は、送受信処理部１５の送信部から出力されたデータを光信号に変調し、該変調された光信号を１００ＢＡＳＥ−ＦＸの光ファイバ１１０に出力する電気／光変換部（Ｅ／Ｏ）である。１７は、光ファイバ１１０から入力された光信号を復調してデータを生成する光／電気変換部（Ｏ／Ｅ）である。電源変換部２０は、ＡＣアダプタ５０から供給された電源を各部の所要電圧に変換して供給する。
【００２４】
３１は、１００ＢＡＳＥ−ＴＸ規格に準拠した送信部（Ｔｘ）と受信部（Ｒｘ）から成る送受信処理部であり、物理層レベル（ＰＨＹ）のプロトコルで信号処理するものである。ここで、送受信処理部３１の送信部（Ｔｘ）は、入力データを４Ｂ／５Ｂ符号変換し、ＮＲＺＩ方式により符号化する。さらに、この送信部（Ｔｘ）は、符号化された信号にスクランブル操作を行い、ＭＬＴ−３の３値信号に変換し、コネクタ３８を介して１００ＢＡＳＥ−ＴＸのＬＡＮ・１２０に出力する。送受信処理部３１の受信部（Ｒｘ）は、コネクタ３８を介してＬＡＮ・１２０から受信した信号をデスクランブルし、復号化と符号変換を行いデータを生成する。
【００２５】
３３は、１００ＢＡＳＥ−ＴＸ規格に準拠した送信部（Ｔｘ）と受信部（Ｒｘ）とから成る送受信処理部であり、物理層レベル（ＰＨＹ）のプロトコルで信号処理するものである。その送信部（Ｔｘ）は、入力データを４Ｂ／５Ｂ符号変換し、ＮＲＺＩ方式により符号化して出力する。また、その受信部（Ｒｘ）は、受信された信号の復号化と符号変換を行いデータを生成する。３２は、送受信処理部３１と送受信処理部３３を接続し、データのインタフェース、送信エラー信号ＴＸ＿ＥＲや受信エラー信号ＲＸ＿ＥＲなどの各信号の送受信およびローカル情報に対応した信号の送信と受信したローカル情報の検出を行うメディア独立インタフェース部（ＭＩＩ）である。
【００２６】
３４は、送受信処理部３３の送信部から出力されたデータによって光信号を変調し、変調された光信号を１００ＢＡＳＥ−ＦＸの光ファイバ１１０に出力する電気／光変換部（Ｅ／Ｏ）である。３５は、光ファイバ１１０から入力された光信号を復調してデータを生成する光／電気変換部（Ｏ／Ｅ）である。制御部３７は、メディア独立インタフェース部３２の警報信号出力の制御、その他各部の制御を行う。また、ネットワーク管理マネージャ６０とネットワーク管理情報の送信および受信を行うＳＮＭＰユニットへ情報を供給する。
【００２７】
次に、図２および図３を併せて参照し、図１の構成のメディアコンバータの動作について説明する。図２は、ローカル情報の伝送手順を示すフローチャートである。なお、メディアコンバータ１０が、メディアコンバータ３０に対してローカル情報を伝送するものとする。
先ず、ステップＳ１０１では、メディアコンバータ１０の制御部１９が、ステイタス情報や、コンフィギュレーション情報や、診断情報などの情報であるローカル情報をメディアコンバータ３０に送信することを決定する。次に、制御部１９は、送信するローカル情報に対応した制御信号を生成する。そして、制御部１９は、この制御信号をメディア独立インタフェース部１２へ出力することで、ローカル情報の送信の要求をメディア独立インタフェース部１２に通知する。
【００２８】
次に、ステップＳ１０２では、この通知を受けたメディア独立インタフェース部１２は、基本クロックの２のｎ乗（ｎ；自然数、ｎ≧３）のカウント値により表されるパルス幅が割り付けられたローカル情報に対応したパルス信号を送信する。具体的には、メディア独立インタフェース部１２は、メディアコンバータ１０および３０を接続する通信路の影響を受けてデューティ比が変動した場合に推定される受信周波数の最も高い周波数のパルス幅が基本クロックの２のｎ乗倍になる周波数の信号をローカル情報に対応させて送信する。次に、ステップＳ１０３では、メディア独立インタフェース部３２が、メディアコンバータ１０から受信されたローカル情報のパルス幅を基本クロックでカウントし、このカウント値を２進数で表す。
【００２９】
次に、ステップＳ１０４では、前述のｎの値に応じた上位側のビットを用いてローカル情報を識別する。すなわち、メディア独立インタフェース部３２は、２進数で表されたパルス幅を予め定められた判定条件、２進数で表されたカウント値の最下位ビットから数えて（ｎ＋１）番目のビットが“１”であって、且つ、（ｎ＋１）番目より上位側の全てのビットと、最下位ビットからｎ番目のビットとが“０”であるという条件に基づいて判定する。
【００３０】
そして、メディア独立インタフェース部３２は、この判定条件を満足するパルス幅に割り付けられたローカル情報を識別する。このように、送信信号のパルス幅を基本クロックの２のｎ乗倍になるようにすることで、受信側において２進数で表されたパルス幅のｎ番目のビットとそれより上位のビットのみを監視することで、信号のデューティ比が変化したとしても、ローカル情報の内容を正しく識別することができる。
【００３１】
次に、同実施形態のローカル情報の識別方法の効果を具体的に説明するために、以下に示す５つの異なるパルス幅を有するローカル情報Ｐ１〜Ｐ５を送信するものとする。なお、“Ｘ”は“０”または“１”を表す。
Ｐ１＝00001XXX（基本クロックの8クロック分以上16クロック分未満）
Ｐ２＝0001XXXX（基本クロックの16ク口ック分以上32クロック分未満）
Ｐ３＝001XXXXX（基本クロックの32クロック分以上64クロック分未満）
Ｐ４＝01XXXXXX（基本クロックの64クロック分以上128クロック分未満）
Ｐ５＝1XXXXXXX（基本クロックの128クロック分以上256クロック分未満）
【００３２】
ここで、伝送路により送信側のパルス幅が−１０％変動しても、受信側においてカウント数の桁が変わらないパルス幅、すなわち、基本クロックの２のｎ乗倍以上になる送信側のカウント数を検討すると、ローカル情報Ｐ１〜Ｐ５の基本クロックのカウント数Ｘ１〜Ｘ５は、以下に示す式により算出することができる。
0004896312.tif 000003
【００３３】
従って、デューティ比が例えば−１０％変動してもカウント数の桁が変わらないローカル情報Ｐ１〜Ｐ５のパルス幅のカウント数Ｘ１〜Ｘ５は、１０進数と２進数とで表記して以下のようにした。なお、デューティ比が＋１０％変動してもカウント数の桁が変わらないよう、カウント数はなるべく小さな値とした。
0004896312.tif 000004
【００３４】
送信パルス幅をこのようにした場合、デューティ比が±１０％変動すると、以下のようなパルス幅のローカル情報Ｐ１〜Ｐ５が受信される。
0004896312.tif 000005
【００３５】
図３は、送信するローカル情報Ｐ１＝００００１００１と、デューティ比が変動した場合に、受信されるローカル情報Ｐ１の波形を示す図である。同図に示すように、前述のパルス幅でローカル情報を送ることによってデューティ比が変動しても受信パルス幅は、２のｎ乗倍以上になる。従って、カウント値の桁が変わらず、カウント値の全てのビットをモニタする必要はなくなり、前述の判定条件によって、最下位ビットからｎ番目のビット（上述の例ではｎ＝３）、およびそれより上位のビットをモニタすることによって正しくローカル情報を識別することができる。
【００３６】
一方、上述のパルス幅でローカル情報を送る場合、上述の判定条件によりローカル情報を正しく識別することができるデューティ比の変動幅を検討すると以下のようになる。
0004896312.tif 000006
【００３７】
なお、本実施形態において、デューティ比の変動を±１０％として検討したが、これに限るものではなく、前記Ｘ１〜Ｘ５で示された基本クロックのカウント数をより大きくすることで、対応できるデューティ比の変動幅を大きくすることができる。また、伝送路の影響により信号のデューティ比が変動する場合について検討したが、周波数が変動した場合についても同様に考えることができる。また、５つのローカル情報Ｐ１〜Ｐ５を周波数判定カウンタの８ビットの上位６ビットにより識別する方法について述べたが、２進数表記で表されるビット数を増やすことにより、さらに多くのローカル情報を伝送することが可能となる。
【００３８】
（第２の実施の形態）
次に、図１を援用して、この発明の第２の実施の形態について説明する。
同実施形態の送信側のメディアコンバータは、受信エラーを認識するためのＨＡＬＴ信号を送信する機能がある。そこで、この第２の実施形態では、送信側のメディアコンバータが送信エラー信号ＴＸ＿ＥＲをアサートし、送信イネーブル信号ＴＸ＿ＥＮ（Transmit Enable）を一定周期でトグルさせることにより、ＩＮＶＡＬＩＤ信号であるＨＡＬＴ信号とＶＡＬＩＤ信号であるＩＤＬＥ信号とを交互に送信する。そして、これらの信号の繰り返し周期にローカル情報を割り当てることで、ローカル情報の伝送を行う方法である。
【００３９】
次に、図４を併せて参照し、同実施形態の動作について説明する。図４は、同実施形態のローカル情報伝送手順を示すフローチャートである。なお、メディアコンバータ１０からメディアコンバータ３０へローカル情報を送信するものとする。先ず、ステップＳ２０１では、制御部１９は、ローカル情報を送信するために、メディア独立インタフェース部１２の送信エラー信号ＴＸ＿ＥＲと送信イネーブル信号ＴＸ＿ＥＮとを制御する制御信号を出力する。ここで、送信エラー信号ＴＸ＿ＥＲと送信イネーブル信号ＴＸ＿ＥＮとが双方ともアサートされた場合、周波数１２．５ＭＨｚのパルス信号であるＨＡＬＴ信号が出力される。また、送信エラー信号ＴＸ＿ＥＲもしくは送信イネーブル信号ＴＸ＿ＥＮのどちらか一方がデアサートされた場合、周波数６２．５ＭＨｚのパルス信号であるＩＤＬＥ信号が出力される。
【００４０】
ステップ２０２では、この制御信号を受けたメディア独立インタフェース部１２は、基本クロックの２のｎ乗（ｎ；自然数、ｎ≧３）倍のパルス幅のＨＡＬＴ信号とＩＤＬＥ信号とを交互に出力する。すなわち、メディア独立インタフェース部１２は、ＨＡＬＴ信号とＩＤＬＥ信号とを生成する場合、メディアコンバータ１０とメディアコンバータ３０を接続する伝送路の影響によって引き起こされる送信信号のデューティ比の変動による受信ローカル情報の誤りを発生させないようにパルス幅を設定して生成する。そして、ＨＡＬＴ信号とＩＤＬＥ信号とを交互にメディアコンバータ３０へ送信する。
【００４１】
次に、ステップ２０３では、メディア独立インタフェース部３２が、メディアコンバータ１０から受信されたパルス幅を基本クロックを用いてカウントし、そのカウント値を２進数で表す。
次に、ステップ２０４では、メディア独立インタフェース部３２が、前述のｎの値に応じた上位側のビットを用いてＨＡＬＴ信号とＩＤＬＥ信号とを検出する。具体的には、第１の実施形態の判定条件を用いて、２進数で表されたパルス幅が、最下位ビットから数えて（ｎ＋１）番目のビットが“１”であって、且つ、（ｎ＋２）番目から最上位までの全てのビットと、ｎ番目のビットが“０”となるパルス幅を検出する。そして、この判定条件を満足するパルス幅に対応するＨＡＬＴ信号とＩＤＬＥ信号とを検出する。
【００４２】
次に、ステップ２０５では、ＨＡＬＴ信号とＩＤＬＥ信号との繰り返し周期を用いてローカル情報を識別する。具体的には、メディア独立インタフェース部３２は、検出されたＨＡＬＴ信号を“１”とし、また、ＩＤＬＥ信号を“０”として、ＲＸ＿ＥＲ信号に変換し、この“１”と“０”との組み合わせによりローカル情報を識別する。
【００４３】
このように、第２の実施形態によれば、送信信号のデューティ比が変動した場合の最も高い周波数のパルス幅が基本クロックの２のｎ乗倍以上になるパルス幅のＨＡＬＴ信号とＩＤＬＥ信号とを生成して送信することにより、受信側で上位６ビットのみをモニタすることによって、信号のデューティ比が変動しても、ＨＡＬＴ信号とＩＤＬＥ信号とを検出することができ、ローカル情報を正しく識別することができる。
以上述べた実施の形態は、本発明を説明するための一例であって、本発明は、上記の実施の形態に限定されるものではなく、発明の要旨の範囲で種々の変形が可能である。
【００４４】
【発明の効果】
以上説明したように、本発明によれば、ローカル情報を送信する信号の周波数を、伝送路の影響を受けて受信信号のデューティ比が変動しても、受信周波数判定カウンタの２進数で表した値の桁数が変わらないように設定するため、受信した信号から正しくローカル情報を識別することができるので、ローカル情報伝送回線の信頼度を高めることができるという効果が得られる。
また、受信周波数判定カウンタにより、受信信号のパルス幅を２進数で表した値の上位の一部のビットを用いて周波数の判定ができるので、周波数判定カウンタの構成を簡略化することが可能になり、メディアコンバータのコストを低減できるという効果が得られる。
【図面の簡単な説明】
【図１】  この発明の第１および第２の実施の形態によるメディアコンバータの構成を示すブロック図である。
【図２】  第１の実施形態のローカル情報伝送手順を示すフローチャートである。
【図３】  第１の実施形態によるローカル情報を伝送する信号の送信波形および受信波形の一例を示す図である。
【図４】  第２の実施形態のローカル情報伝送手順を示すフローチャートである。
【図５】  従来のローカル情報を伝送する信号の送信波形および受信波形の一例を示す図である。
【符号の説明】
１０，３０…メディアコンバータ、１１，３１…送受信処理部、１２，３２…メデイア独立インタフェース部、１５，３３…送受信処理部、１６，３４…電気／光変換部、１７，３５…光／電気変換部、１９，３７…制御部、２０…電圧変換部、２１，３８…コネクタ。
【図１】
0004896312.tif 000007
【図２】
0004896312.tif 000008
【図３】
0004896312.tif 000009
【図４】
0004896312.tif 000010
【図５】
0004896312.tif 000011